(57)【要約】【課題】騒音を抑制し、高い集塵性能を安定して維持可能な集塵装置を提供する。【解決手段】集塵装置２０は、筐体と、第一ノズルと、吸込口２１と、第一吹出口５０とを備えている。筐体は、吸込空間を有する。吸込空間には、第一ノズルが設けられる。そして、第一ノズルから第二加圧空気を吹き出すことによって、吸込口２１は、居室５から吸込空間に空気を吸い込みながら塵埃を取り込み可能とする。第一吹出口５０は、吸込口２１の鉛直方向上方において居室５に面する壁面９ａに設けられ、壁面９ａから居室５に向けて第一加圧空気６０を吹き出す。【選択図】図５
2020201028.tif 000002
【特許請求の範囲】
【請求項１】
吸込空間を有する筐体と、
建築構造物の壁面の室内側下端部において前記筐体に設けられ、前記室内から前記吸込空間に空気を吸い込みながら塵埃を取り込み可能な吸込口と、
前記吸込口の鉛直方向上方において前記壁面に設けられ、前記壁面から前記室内に向けて第一加圧空気を吹き出す第一吹出口と、
前記筐体の第一側壁に設けられ、前記第一側壁から前記第一側壁と対向する第二側壁に向かう第一方向に第二加圧空気を吹き出す第一ノズルと、
前記第二側壁に設けられ、前記第二加圧空気と前記吸込空間に吸い込まれた空気と共に前記塵埃を排出する排出口と、を備え、
前記吸込口は、前記第一側壁と前記第二側壁との間において前記第一方向に沿って延設され、前記第一ノズルから吹き出される前記第二加圧空気に誘引されて外部から前記吸込空間内に誘引空気を吸い込むことを特徴とする集塵装置。
【請求項２】
前記第一吹出口は、該第一吹出口から前記筐体の外部の床面に沿った第二方向又は前記第二方向よりも斜め上向きに、前記第一加圧空気を吹き出すことを特徴とする請求項１に記載の集塵装置。
【請求項３】
前記室内において、前記吸込口に向かって第三加圧空気を吹き出す第二吹出口をさらに備え、
前記第三加圧空気は、前記第一吹出口から吹き出される前記第一加圧空気と前記床面との間を、前記床面に沿って流れることを特徴とする請求項２に記載の集塵装置。
【請求項４】
前記第一吹出口から前記第二方向又は前記第二方向よりも斜め上向きに、前記第一加圧空気を吹き出す第一状態と、前記第一吹出口から前記壁面に沿った第三方向に、前記第一加圧空気を吹き出す第二状態とを切り替える切替部と、
前記第一吹出口の周囲において人を検知する検知部と、
をさらに備え、
前記切替部は、前記検知部が人を検知した場合に、前記第二状態に切り替えることを特徴とする請求項３に記載の集塵装置。
【請求項５】
前記第一吹出口は、該第一吹出口から前記壁面に沿った第三方向に、前記第一加圧空気を吹き出すことを特徴とする請求項１に記載の集塵装置。
【発明の詳細な説明】
【技術分野】
【０００１】
本発明は、集塵装置に関する。
【背景技術】
【０００２】
壁面に設けた吸込口に直接塵埃を掃き込めるようにして掃除を行いやすくするようにしたセントラル集塵装置が知られている（例えば、特許文献１）。特許文献１に記載のセントラル集塵装置は、建物構造物等の居室毎に壁面（床面側）に設けられ塵埃を掃き込み可能な吸込口と、各居室の吸込口からダスタダクト（空気経路）を介して連通する集塵機とを備える。集塵機には送風機が設けられており、送風機の駆動により集塵機内に吸引の気流を生み出すことで、各居室の吸込口に掃き込まれた塵埃がダスタダクトを介して集塵機内に導かれ、集塵箱に集溜される。
【先行技術文献】
【特許文献】
【０００３】
【特許文献１】実願昭５２−０３９９４０号（実開昭５３−１３４５５５号）のマイクロフィルム
【発明の概要】
【発明が解決しようとする課題】
【０００４】
上記した従来のセントラル集塵装置では、各居室に設けられた吸込口から集塵機までのダストダクトの長さが居室毎にばらつくことになる。これにより、居室へ漏れる送風機の音量に差が生じることで、居室により騒音が問題となるおそれがあった。
【０００５】
また、上記した従来のセントラル集塵装置には、集塵機内に吸引された塵埃が送風機のあるファン部を通過して性能劣化（例えば、吸引性能の低下）を引き起こすことを抑制するために、集塵箱とファン部との間にフィルタを設ける必要がある。しかしながら、繰り返して運転するうちにフィルタが目詰まりを起こし、性能劣化を招くおそれがあった。
【０００６】
本発明は、上記課題を解決するためになされたものであり、騒音を抑制し、高い集塵性能を安定して維持可能な集塵装置を提供することを目的とする。
【課題を解決するための手段】
【０００７】
この目的を達成するために、本発明の集塵装置は、筐体と、吸込口と、吹出口と、第一ノズルと、排出口とを備えている。筐体は、吸込空間を有する。吸込口は、建築構造物の壁面の室内側下端部において筐体に設けられ、室内から吸込空間に空気を吸い込みながら塵埃を取り込み可能とする。吹出口は、吸込口の鉛直方向上方において壁面に設けられ、壁面から室内に向けて第一加圧空気を吹き出す。第一ノズルは、筐体の第一側壁に設けられ、第一側壁から当該第一側壁と対向する第二側壁に向かう第一方向に第二加圧空気を吹き出す。排出口は、第二側壁に設けられ、第二加圧空気と吸込空間に吸い込まれた空気と共に塵埃を排出する。そして、吸込口は、第一側壁と第二側壁との間において第一方向に沿って延設され、第一ノズルから吹き出される第二加圧空気に誘引されて外部から吸込空間内に誘引空気を吸い込む。
【発明の効果】
【０００８】
本発明によれば、騒音を抑制し、高い集塵性能を安定して維持可能な集塵装置を実現できる。
【図面の簡単な説明】
【０００９】
【図１】図１は、本発明の実施の形態１に係る集塵装置を含む集塵システムの概略接続図である。
【図２】図２（ａ）は、集塵装置の斜視図であり、図２（ｂ）は、壁面を取り外した状態での集塵装置の斜視図であり、図２（ｃ）は、壁面を取り外した状態であって、排出ダクトを取り付けた状態での集塵装置の斜視図である。
【図３】図３は、集塵装置を排出口側から見た側面図である。
【図４】図４（ａ）は、第一ノズルから加圧空気を吹き出した場合の空気の流れを集塵装置の排出口側から見た図であり、図４（ｂ）は、第一ノズルから加圧空気を吹き出した場合の空気の流れを集塵装置の斜めから見た図である。
【図５】図５（ａ）は、第一吹出口を設けない場合の筐体の外部における空気の流れを示した側面図であり、図５（ｂ）は、第一吹出口から筐体の外部の床面に沿った第二方向に第一加圧空気を吹き出す場合の筐体の外部の空気の流れを示した側面図であり、図５（ｃ）は、第一吹出口から居室の室内側の壁面に沿った第三方向に第一加圧空気を吹き出した場合の筐体の外部の空気の流れを示した側面図である。
【図６】図６は、本発明の実施の形態２に係る集塵装置を含む集塵システムの概略接続図である。
【図７】図７（ａ）は、第二吹出口から床面に沿って集塵装置に向かう第四方向に第三加圧空気を吹き出す場合の筐体の外部の空気の流れを示した上面図であり、図７（ｂ）第二吹出口から床面に沿って集塵装置に向かう第四方向に第三加圧空気を吹き出す場合の筐体の外部の空気の流れを示した側面図である。
【図８】図８は、変形例に係る集塵装置に接続される排出ダクトの構成例を示した図である。
【図９】図９は、本発明の実施の形態２に係る集塵システムの変形例において、人を検知した場合に、第一加圧空気６０の吹き出し方向を第三方向３４に切り替えた状態での筐体の外部の空気の流れを示した側面図である。
【発明を実施するための形態】
【００１０】
以下、本発明を実施するための形態について添付図面を参照して説明する。なお、以下に説明する実施の形態は、いずれも本発明の好ましい一具体例を示すものである。よって、以下の実施の形態で示される、数値、形状、材料、構成要素、構成要素の配置位置および接続形態などは、一例であって本発明を限定する主旨ではない。従って、以下の実施の形態における構成要素のうち、本発明の最上位概念を示す独立請求項に記載されていない構成要素については、任意の構成要素として説明される。また、各図において、実質的に同一の構成に対しては同一の符号を付しており、重複する説明は省略または簡略化する。
【００１１】
（実施の形態１）
まず、図１を参照して、本発明の実施の形態１に係る集塵装置２０を含んで構成される集塵システム１の概略構成について説明する。図１は、その集塵システム１の概略接続図である。
【００１２】
集塵システム１は、建築構造物４０に構築され、建築構造物４０の居室５において掃き出された塵埃を回収するシステムである。集塵システム１は、複数の居室５のそれぞれに対して設けられた集塵装置２０により塵埃を取り込み、それぞれの集塵装置２０に取り付けられた排出ダクト１４を介して取り込んだ塵埃を回収箱１５にて回収する。
【００１３】
集塵システム１は、上記の集塵装置２０、排出ダクト１４、回収箱１５の他、コンプレッサ２、空気タンク３、分配器１６、レギュレータ１０、電磁弁１１、供給ダクト１２、およびスイッチ１３を含んで構成されている。また、集塵装置２０の一部として、第一吹出口５０が設けられている。
【００１４】
コンプレッサ２は、空気を圧縮して加圧空気（圧縮空気）を生成するものであり、建築構造物４０の屋外に設置される。コンプレッサ２を建築構造物４０の屋外に設置することにより、コンプレッサ２において空気を圧縮する際に生じる騒音が屋内に漏れることを抑制できる。なお、集塵装置２０では、空気を圧縮して０．１〜０．３［ＭＰａ］の高い圧力にしたものを加圧空気として用いている。
【００１５】
なお、コンプレッサ２は、建築構造物４０とは別の構造物として建てられた小屋の中に設置されてもよい。また、防音対策を施すことにより、コンプレッサ２が建築構造物４０の屋内（例えば、建築構造物４０に設けられた機械室４）に設置されてもよい。
【００１６】
空気タンク３は、コンプレッサ２の出力側に接続されて、コンプレッサ２にて生成された加圧空気を蓄積するものであり、建築構造物４０の屋外に設置される。コンプレッサ２は、空気の圧縮に時間を要するため、常に加圧空気を出力することができない。コンプレッサ２により生成された加圧空気を空気タンク３に蓄積することで、空気タンク３から安定して加圧空気が出力される。
【００１７】
なお、空気タンク３は、建築構造物４０とは別の構造物として建てられた小屋の中に設置されてもよいし、機械室４など建築構造物４０の屋内に設置されてもよい。また、集塵システム１において、空気タンク３は、必ずしも設けられなくてもよい。
【００１８】
空気タンク３に蓄積された加圧空気は、分配器１６に送られる。分配器１６は、加圧空気をそれぞれの集塵装置２０に分配するものであり、建築構造物４０内に設けられた機械室４に設置される。分配器１６により分配された加圧空気は、それぞれの集塵装置２０に対応して設けられた供給ダクト１２を介して、それぞれの集塵装置２０に供給される。分配器１６が建築構造物４０の屋内に設けられることにより、建築構造物４０の屋内にいて集塵システム１を使用する使用者は、分配器１６の補修を容易に行うことができる。
【００１９】
なお、分配器１６は、機械室４以外の建築構造物４０の屋内に設置されてもよいし、建築構造物４０の屋外に設置されてもよい。建築構造物４０の屋外として、別に建てられた小屋の中であってもよいし、建築構造物４０の床下７または天井裏８であってもよい。
【００２０】
供給ダクト１２は、分配器１６より分配された加圧空気を対応する集塵装置２０へ供給するダクトである。分配器１６より延びた供給ダクト１２は、機械室４から天井裏８に延設され、居室５を構成する壁９の内部を通って対応する集塵装置２０と接続される。なお、集塵装置２０も壁９の内部で構成される。よって、供給ダクト１２が建築構造物４０内にいる人の目に触れることなく、分配器１６からそれぞれの集塵装置２０へ加圧空気を供給できるので、建築構造物４０内の美観が損なわれることを抑制できる。
【００２１】
それぞれの供給ダクト１２の途中には、レギュレータ１０および電磁弁１１が設けられている。レギュレータ１０は、分配器１６から集塵装置２０へ供給される加圧空気の圧力を調整する。レギュレータ１０によって加圧空気の圧力を調整することで、集塵装置２０において吹き出される加圧空気の風量が容易に調整できる。
【００２２】
電磁弁１１は、その開閉によって供給ダクト１２における加圧空気の流路を開放または閉鎖するための弁である。集塵装置２０が設けられた居室５には、それぞれスイッチ１３が設けられている。スイッチ１３は、対応する居室５の集塵装置２０に接続された供給ダクト１２の電磁弁１１を開閉するためのものである。
【００２３】
使用者によりスイッチ１３がオンされると、対応する居室５の集塵装置２０に接続され
た供給ダクト１２の電磁弁１１が開き、その供給ダクト１２における加圧空気の流路が開放されて、その集塵装置２０に加圧空気が供給される。一方、使用者によりスイッチ１３がオフされると、対応する居室５の集塵装置２０に接続された供給ダクト１２の電磁弁１１が閉じ、その供給ダクト１２における加圧空気の流路が閉鎖されて、その集塵装置２０への加圧空気の供給が停止する。
【００２４】
レギュレータ１０および電磁弁１１は、機械室４に設けられ、建築構造物４０の屋内にいて集塵システム１を使用する使用者が、レギュレータ１０および電磁弁１１の補修を容易に行うことができるようになっている。
【００２５】
なお、レギュレータ１０および電磁弁１１は、機械室４以外の建築構造物４０の屋内に設置されてもよいし、建築構造物４０の屋外に設置されてもよい。建築構造物４０の屋外として、別に建てられた小屋の中であってもよいし、建築構造物４０の床下７または天井裏８であってもよい。また、レギュレータ１０および電磁弁１１は必ずしも同じ場所に設置される必要はない。ただし、レギュレータ１０および電磁弁１１が同じ場所に設置されれば、その補修容易性を高めることができる。
【００２６】
集塵装置２０は、居室５を構成する壁９の内側に設置され、居室５に面する壁面９ａの室内側下端部において集塵装置２０の筐体２０ａに設けられた吸込口２１から、対応する居室５において掃き出された塵埃を取り込む。
【００２７】
集塵装置２０は、上記した通り第一吹出口５０を有している。第一吹出口５０は、吸込口２１の鉛直方向上方において、その吸込口２１から所定距離離れた位置の壁面９ａに設けられている。第一吹出口５０には、供給ダクト１２から分岐した供給ホースが接続されており、その供給ホースから加圧空気が供給される。そして、第一吹出口５０は、少なくとも集塵装置２０において塵埃を取り込む動作がなされている間、壁面９ａから居室５の室内に向けて第一加圧空気６０（図５参照）を吹き出す。
【００２８】
集塵装置２０のその他の詳細構成については、図２および図３を参照して後述する。
【００２９】
それぞれの集塵装置２０において取り込まれた塵埃は、集塵装置２０において吹き出された後述の第二加圧空気６１と、その第二加圧空気６１により誘引された誘引空気と共に、それぞれの集塵装置２０に対応して設けられた排出ダクト１４を介して回収箱１５に送られる。それぞれの排出ダクト１４は、壁９の内側に設けられた集塵装置２０から、建築構造物４０の床下７を通って回収箱１５まで延設される。よって、排出ダクト１４が少なくとも居室５にいる人の目に触れることなく、集塵装置２０から回収箱１５へと塵埃を運ぶことができるので、少なくとも居室５の美観が損なわれることを抑制できる。
【００３０】
回収箱１５は、集塵システム１において１つだけ設けられており、それぞれの集塵装置２０により取り込まれ、対応する排出ダクト１４を介して送られてきた塵埃を、この１つの回収箱１５によって回収する。排出ダクト１４は、対応する集塵装置２０から運んできた塵埃を第二加圧空気６１および誘引空気と共に回収箱１５の上から下へと落とすように、回収箱１５に接続される。これにより、回収箱１５に設けられたゴミ箱に、塵埃を確実に落とすことができる。
【００３１】
一方、回収箱１５には、空気抜け穴（図示せず）が設けられており、排出ダクト１４を介して送られてきた第二加圧空気６１および誘引空気は、その空気抜け穴から排出される。よって、回収箱１５が加圧状態になることを抑制できる。
【００３２】
回収箱１５は、建築構造物４０の玄関６に設置される。玄関６に設置することで、建築
構造物４０の居室５のそれぞれを汚すことなく、回収した塵埃を容易に外に運び出すことができる。なお、回収箱１５は、必ずしも玄関６に設置されなくてもよく、建築構造物４０の屋外に設置されてもよい。また、回収箱１５は、複数設けられてもよい。ただし、塵埃の回収の手間を抑制するために、回収箱１５は１つであることが望ましい。
【００３３】
次いで、図２および図３を参照して、本実施の形態１に係る集塵装置２０の詳細構成について説明する。図２（ａ）は、集塵装置２０の斜視図であり、図２（ｂ）は、壁面９ａを取り外した状態での集塵装置２０の斜視図であり、図２（ｃ）は、壁面９ａを取り外した状態であって、集塵装置２０に排出ダクト１４を取り付けた状態での集塵装置２０の斜視図である。また、図３は、集塵装置２０を排出口２８側から見た側面図である。なお、図２および図３は、いずれも第一吹出口５０が省略されている。
【００３４】
図２に示す通り、集塵装置２０は、壁面９ａと、第一側壁２３と、第一側壁２３と対向する第二側壁２４と、壁面９ａと対向する第三側壁（吸込口２１とは反対側の第三側壁）２２と、天板２５と、底板３１とによって、吸込空間２６を有する筐体２０ａが形成される。壁面９ａは、建築構造物４０において居室５を形成する壁９の壁面である。第一側壁２３は、居室５の壁面９ａ側から筐体２０ａを見た場合に右側に設けられた側壁である。筐体２０ａの内部は空洞となっており、その空洞によって吸込空間２６が構成される。なお、第一側壁２３の背面側には、後述する第一ノズル２９に加圧空気を供給するための供給ホース（図示せず）が配置される空間２６ａが構成されている。
【００３５】
筐体２０ａには、壁面９ａにおいて居室５の室内側下端部（居室５の床面７ａと接する位置）に吸込口２１が設けられている。吸込口２１は、第一側壁２３と第二側壁２４との間において、第一側壁２３から第二側壁２４に向かう第一方向３２に沿って延設され、外部（即ち、居室５の室内）から吸込空間２６に空気を吸い込みながら、居室５において掃き出された塵埃を吸込空間２６に取り込み可能な開口である。吸込口２１は、所定の開口高さ（例えば、１０ｍｍ）を有する矩形形状の単一の開口であるが、複数の開口によって構成されていてもよい。
【００３６】
また、図２および図３に示す通り、第一側壁２３には、第一ノズル２９が設けられている。第一ノズル２９は、吸込口２１よりも上側（天板２５側）であって、吸込口２１とは反対側の第三側壁２２よりも吸込口２１側（壁面９ａ側）において、第一側壁２３から第二側壁２４に向かう第一方向３２に、供給ダクト１２より供給された加圧空気を吸込空間２６内に吹き出すように構成されている。第一ノズル２９は、第一側壁２３から第一方向３２に延びており、先端が第一側壁２３と第二側壁２４との略中間部分に位置している。即ち、吸込口２１よりも上側であって吸込口２１に近い側において、第一側壁２３と第二側壁２４との略中間部分から第一ノズル２９より加圧空気が第二加圧空気６１として吹き出される。
【００３７】
なお、集塵装置２０の筐体２０ａは最大４つまで加圧空気を吹き出すノズルを装着可能とするために、図３に示すように、第一側壁２３に４つのノズル孔２３ａが設けられており、それぞれのノズル孔２３ａに一のノズルが装着できるように構成されている。本実施の形態１に係る集塵装置２０は、それぞれのノズル孔２３ａのうち、壁面９ａ側かつ上側（天板２５側）のノズル孔２３ａに第一ノズル２９が装着される。また、その他の３つのノズル孔２３ａにはノズルが非装着とされ、蓋によって塞がれている。これにより、吸込空間２６と空間２６ａとを分離でき、吸込空間２６において誘引気流４１が効率よく発生できる。
【００３８】
天板２５には、第一ノズル２９へ加圧空気を供給するための供給ホース（図示せず）を通す孔２７が設けられている。供給ダクト１２は、集塵装置２０の手前で供給ホースと接
続され、供給ホースが孔２７を通って第一側壁２３において第一ノズル２９と接続される。これにより、第一ノズル２９には、供給ダクト１２から送られた加圧空気が供給され、先端から第二加圧空気６１が吹き出される。
【００３９】
なお、図２において天板２５には孔２７が４つ開けられている。これは、上述した通り、集塵装置２０の筐体２０ａが最大４つまで加圧空気を吹き出すノズルを装着可能に構成されており、その４つのノズルのそれぞれに対して加圧空気を供給する供給ホースが通せるようにしたためである。よって、孔２７の数は、筐体２０ａに接続可能なノズルの数に応じて変更されてもよい。なお、供給ホースを通さず使用されていない孔２７は、蓋がされて塞がれている。
【００４０】
また、孔２７は、供給ホースでなく供給ダクト１２を通すものが１つだけ用意されてもよい。この場合、天板２５と第一側壁２３との間で、供給ダクト１２に供給ホースを接続し、その供給ホースから第一ノズル２９へ加圧空気を供給してもよいし、供給ダクト１２を第一ノズル２９へ直接接続して加圧空気を供給してもよい。
【００４１】
また、図２（ａ）に示す通り、集塵装置２０の第二側壁２４には、排出口２８が形成されている。排出口２８は、第一ノズル２９より吹き出された第二加圧空気６１と、吸込口２１より吸込空間２６に吸い込まれた空気（誘引空気）と共に、吸込空間２６に取り込まれた塵埃を集塵装置２０から排出するための開口である。排出口２８には、図２（ｃ）に示すように、排出ダクト１４が取り付けられており、排出口２８から排出された塵埃は、第二加圧空気６１および吸込口２１より吸込空間２６に吸い込まれた誘引空気にのって、排出ダクト１４を経由して回収箱１５へ運ばれる。
【００４２】
次いで、図４および図５を参照して、上記のように構成された集塵装置２０の作用および効果について説明する。まず、図４を参照して、第一ノズル２９による塵埃の吸引作用について説明する。図４（ａ）は、第一ノズル２９から第二加圧空気６１を吹き出した場合の空気の流れを集塵装置２０の排出口２８側から見た図であり、図４（ｂ）は、第一ノズル２９から第二加圧空気６１を吹き出した場合の空気の流れを集塵装置２０の斜めから見た図である。なお。図４では、第二加圧空気６１を示していないが、第二加圧空気６１は、第一ノズル２９の中心の位置において、紙面の奥側から手前側に向かう方向（紙面に垂直な方向）に流れている。
【００４３】
第一ノズル２９から第二加圧空気６１が吹き出されると、吹き出された第二加圧空気６１による高速気流によってその周辺が低圧となり、図４（ａ）に示すように、周囲の空気が第一ノズル２９から吹き出される第二加圧空気６１に向かって流れ込む誘引気流４１が発生する。この誘引気流４１によって、吸込空間２６全体が低圧になり、吸込口２１を介して、居室５の室内から吸込空間２６内に誘引空気を吸い込む気流４２が生み出される。集塵装置２０は、居室５において掃き出され、この生み出された気流４２によって、吸込口２１付近に集められた塵埃を吸込口２１から吸込空間２６へと取り込むことができる。
【００４４】
吸込空間２６に取り込まれた塵埃は、第一ノズル２９から吹き出された第二加圧空気６１と、吸込口２１より吸込空間２６に吸い込まれた誘引空気と共に、排出口２８から排出され、排出ダクト１４を介して回収箱１５に回収される。
【００４５】
このように、集塵装置２０は、加圧空気を吹き出すだけで、居室５から塵埃を取り込み、集めることができ、従来の集塵装置に用いられていた送風機を不要とすることができる。よって、集塵装置２０は、送風機による音漏れの心配がなく、騒音を抑制できる。また、集塵装置２０は、送風機を用いないため、フィルタも不要とすることができる。よって、集塵装置２０は、フィルタの目詰まりによる性能劣化が生じることがなく、安定して集
塵性能を維持することができる。
【００４６】
次いで、図５を参照して、第一吹出口５０から第一加圧空気６０を吹き出すことによる作用および効果について説明する。図５（ａ）は、第一吹出口５０を設けない場合の筐体２０ａの外部(居室５の室内側)における空気の流れを示した側面図である。図５（ｂ）は、第一吹出口５０から筐体２０ａの外部の床面７ａに沿った第二方向３３に第一加圧空気６０を吹き出す場合の筐体２０ａの外部の空気の流れを示した側面図である。図５（ｃ）は、第一吹出口５０から居室５の室内側の壁面９ａに沿った第三方向３４に第一加圧空気６０を吹き出した場合の筐体２０ａの外部の空気の流れを示した側面図である。
【００４７】
集塵装置２０に第一吹出口５０を設けない場合、図５（ａ）に示す通り、集塵装置２０が吸込口２１にて居室５の室内から吸い込む誘引空気の気流４２は、居室５の種々の方向から発生する。これにより、集塵装置２０において第一ノズル２９から所定風量の第二加圧空気６１を吹き出したとしても、筐体２０ａの外部である居室５の床面７ａ上においては誘引空気の気流４２が弱い風量となるおそれがある。よって、居室５の床面７ａ上に集められた塵埃が、十分に集塵装置２０の吸込空間２６に取り込めないおそれがある。
【００４８】
そこで、集塵装置２０では、上記したように、吸込口２１の鉛直方向上方において第一吹出口５０を壁面９ａに設け、壁面９ａから居室５の室内に向けて第一加圧空気６０を吹き出す。例えば、集塵装置２０において、第一吹出口５０から筐体２０ａの外部の床面７ａに沿った第二方向３３に第一加圧空気６０を吹き出す。この場合、図５（ｂ）に示す通り、筐体２０ａの外部である居室５の空気が、吹き出された第一加圧空気６０に誘引されて第一加圧空気６０と共に第二方向３３に流れる気流６２が発生する。この第一加圧空気６０の流れと気流６２とによってエアカーテンが構成されるので、エアカーテンの上方の空気が吸込口２１に流れ込むことを抑制できる。
【００４９】
なお、集塵装置２０において、第一吹出口５０から筐体２０ａの外部の床面７ａに沿った第二方向３３よりも斜め上向きに第一加圧空気６０を吹き出してもよい。この場合、筐体２０ａの外部である居室５の空気が、吹き出された第一加圧空気６０に誘引されて第一加圧空気６０と共に、その第一加圧空気６０が吹き出される方向に流れる気流６２が発生する。この第一加圧空気６０の流れと気流６２とによってエアカーテンが構成されるので、エアカーテンの上方の空気が吸込口２１に流れ込むことを抑制できる。
【００５０】
また、集塵装置２０において、第一吹出口５０から壁面９ａに沿った第三方向３４に、第一加圧空気６０を吹き出してもよい。この場合、図５（ｃ）に示す通り、居室５の空気が、吹き出された第一加圧空気６０に誘引されて第一加圧空気６０と共に第三方向３４に流れる気流６３が発生する。ここで、気流６３により誘引される空気は、居室５の壁面９ａの離れた位置から床面７ａに沿って第一吹出口５０に向けて流れてくる。この気流６３により、床面７ａに沿ったエアカーテンが構成されるので、エアカーテンの上方の空気が吸込口２１に流れ込むことを抑制できる。
【００５１】
このように、吸込口２１の鉛直方向上方において第一吹出口５０を壁面９ａに設け、壁面９ａから居室５の室内に向けて第一加圧空気６０を吹き出すことでエアカーテンが構成され、エアカーテンの上方の空気が吸込口２１に流れ込むことを抑制できる。よって、集塵装置２０の誘引作用によって吸込口２１から吸い込まれる誘引空気の対象が、エアカーテンと床面７ａとの間の空間における空気に制限することができる。
【００５２】
これにより、誘引作用によって吸込口２１に塵埃を含む空気を吸い込む場合に、吸込口２１に吸い込まれる空気のうち、床面７ａ側の空気がより多く吸い込まれるため、第一ノズル２９から吹き出される第二加圧空気６１の吹き出し条件が一定下においても、床面７
ａを流れる気流４２の風速を強めることができる。よって、居室５の床面７ａ上に集められた塵埃が、十分に集塵装置２０の吸込空間２６に取り込めることができ、高い集塵性能を実現できる。
【００５３】
また、第一吹出口５０は、吸込口２１から所定距離離れた位置の壁面９ａに設けられているので、床面７ａ付近の空気が第一加圧空気６０により誘引されてしまい、吸込口２１に吸い込まれる誘引空気が少なることを抑制できる。
【００５４】
（実施の形態２）
本発明の実施の形態２に係る集塵システム１ａでは、集塵装置２０が自動的に床面７ａの塵埃を回収できるように、集塵装置２０が設置された壁面９ａと対向する壁面９ｂに、集塵装置２０に向けて加圧空気（第三加圧空気６４）を吹き出す第二吹出口５１を配置している点で実施の形態１と異なる。これ以外の集塵システム１ａの構成は、実施の形態１に係る集塵システム１と同様である。以下、実施の形態１で説明済みの内容は再度の説明を適宜省略し、実施の形態１と異なる点を主に説明する。
【００５５】
本発明の実施の形態２に係る集塵システム１ａについて、図６を参照して説明する。図６は、本発明の実施の形態２に係る集塵装置を含む集塵システム１ａの概略接続図である。なお、図６では、他の部屋に設置された集塵装置２０等は省略している。
【００５６】
本実施の形態２に係る集塵システム１ａは、人が部屋にいない場合などに、集塵装置２０が自動的に床面７ａの塵埃を回収することができるように、自動制御によって集塵動作を実行することが可能なシステムである。より詳細には、集塵システム１ａは、実施の形態１に係る集塵システム１に対して、集塵装置２０の一部として第二吹出口５１を追加した構成となっている。
【００５７】
第二吹出口５１は、集塵装置２０が設置された壁面９ａと対向する壁面９ｂの室内側下端部（壁面９ｂの床面７ａ側）に設けられる。そして、第二吹出口５１には、分配器１６より延びた供給ダクト１２（集塵装置２０と接続された供給ダクト１２とは異なるダクト）が接続されており、第二吹出口５１は、少なくとも集塵装置２０において塵埃を取り込む動作がなされている間、壁面９ｂから集塵装置２０の吸込口２１に向けて第三加圧空気６４を吹き出す。
【００５８】
次いで、図７を参照して、第二吹出口５１から第三加圧空気６４を吹き出すことによる作用および効果について説明する。図７（ａ）は、第二吹出口５１から床面７ａに沿って集塵装置２０に向かう第四方向３５に第三加圧空気６４を吹き出す場合の筐体２０ａの外部の空気の流れを示した上面図である。図７（ｂ）第二吹出口５１から床面７ａに沿って集塵装置２０に向かう第四方向３５に第三加圧空気６４を吹き出す場合の筐体２０ａの外部の空気の流れを示した側面図である。ここで、集塵システム１ａが自動制御を行っている場合には、第一吹出口５０から吹き出される第一加圧空気６０は、筐体２０ａの外部の床面７ａに沿った第二方向３３（又は第二方向３３よりも斜め上向き）に吹き出すように設定されている。
【００５９】
集塵装置２０が集塵動作を開始すると、図７（ａ）に示すように、集塵装置２０は、吸込口２１にて居室５の室内から誘引空気の気流４２を生じさせる。そして、図７（ｂ）に示すように、集塵装置２０において、第一吹出口５０から筐体２０ａの外部の床面７ａに沿った第二方向３３に第一加圧空気６０を吹き出すことにより、筐体２０ａの外部である居室５の空気が、吹き出された第一加圧空気６０に誘引されて第一加圧空気６０と共に第二方向３３に流れる気流６２が発生する。この結果、第一加圧空気６０の流れと気流６２とによってエアカーテンが構成され、エアカーテンの上方の空気が吸込口２１に流れ込む
ことを抑制する。
【００６０】
一方、集塵装置２０において、第二吹出口５１から床面７ａに沿って集塵装置２０に向かう第四方向３５に第三加圧空気６４を吹き出すことにより、第三加圧空気６４は、第一吹出口５０から吹き出される第一加圧空気６０と床面７ａとの間を床面７ａに沿って流れる。そして、床面７ａの上の塵埃が、吹き出された第三加圧空気６４の流れにのって集塵装置２０近傍に運ばれる。集塵装置２０近傍に運ばれた塵埃は、誘引空気の気流４２にのって集塵装置２０の内部に吸い込まれる。つまり、集塵システム１ａでは、第二吹出口５１から吹き出される第三加圧空気６４によって、誘引空気の気流４２の作用が及ばない領域に存在する塵埃を人の手を介することなく自動的に回収することができる。
【００６１】
なお、第二吹出口５１は、集塵装置２０が設けられた壁面９ａと対向する壁面９ｂに設ける必要はなく、第二吹出口５１から床面７ａに沿って集塵装置２０に向かうように第三加圧空気６４を吹き出すことができれば、他の壁面に第二吹出口５１を設けてもよい。あるいは、壁面以外の場所に設けてもよい。さらには、第二吹出口５１を複数個所に設けてもよい。
【００６２】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、各実施の形態は、それぞれ、他の実施の形態が有する構成の一部または複数部分を、その実施の形態に追加しあるいはその実施の形態の構成の一部または複数部分と交換等することにより、その実施の形態を変形して構成するようにしても良い。また、上記各実施の形態で挙げた数値は一例であり、他の数値を採用することは当然可能である。
【００６３】
例えば、上記実施の形態１では、供給ダクト１２から第一吹出口５０に加圧空気を供給し、その加圧空気を利用して第一吹出口５０から第一加圧空気６０を吹き出す場合について説明した。これに対し、排出ダクト１４を流れる第二加圧空気６１および誘引空気を取り出し、排出ダクト１４から取り出したこれらの空気の一部を第一吹出口５０に供給することで、第一吹出口５０から第一加圧空気６０を吹き出すようにしてもよい。図９は、この変形例の排出ダクト１４の構成例を示した図である。
【００６４】
図８に示すように、この変形例の排出ダクト１４は、排出口２８から排出された第二加圧空気６１および誘引空気の流れを曲げる空気流路１４ａと、塵埃が回収される回収箱１５に向かう空気流路１４ｂとにより構成される。排出口２８から排出された塵埃を含む第二加圧空気６１および誘引空気の流れの一部が、空気流路１４ａにより曲げられるとき、塵埃は、その重さに基づき生じる遠心力により第二加圧空気６１および誘引空気から飛ばされて空気流路１４ｂを流通して回収箱１５にて回収される。そして、塵埃が飛ばされた第二加圧空気６１および誘引空気の一部は、第一吹出口５０に供給される。
【００６５】
このように、集塵装置２０の排出口２８から排出された第二加圧空気６１および誘引空気を有効活用できるので、これら第二加圧空気６１および誘引空気が無駄に外部に排出されることを抑制できる。
【００６６】
上記実施の形態２では、集塵システム１ａが自動制御によって集塵動作を実行している場合には、第一吹出口５０から吹き出される第一加圧空気６０は、筐体２０ａの外部の床面７ａに沿った第二方向３３（又は第二方向３３よりも斜め上向き）に吹き出すように設定した。これに対し、集塵装置２０の近傍に人７０が近寄ってきた場合には、第一吹出口５０から吹き出す第一加圧空気６０の吹き出し方向を、第二方向３３から壁面９ａに沿った第三方向３４に切り替えるようにしてもよい。図９は、本発明の実施の形態２に係る集
塵システム１ａの変形例において、人７０を検知した場合に、第一加圧空気６０の吹き出し方向を第三方向３４に切り替えた状態での筐体の外部の空気の流れを示した側面図である。
【００６７】
図９に示すように、この集塵システム１ａの変形例では、集塵装置２０の一部として、集塵装置２０近傍の人７０を検知する検知部５２と、第一吹出口５０から第一加圧空気６０を吹き出す方向を切り替える切替部５３とが設けられている。
【００６８】
検知部５２は、人感センサであり、第一吹出口５０の鉛直方向上方において、その第一吹出口５０から所定距離離れた位置の壁面９ａに設けられている。検知部５２は、集塵装置２０から約１．５［ｍ］の範囲に入ってきた人７０を検知するように感度調整されている。そして、検知部５２は、人７０を検知した場合に検知情報を切替部５３に出力する。
【００６９】
切替部５３は、第一吹出口５０の開口部分に取り付けられ、第一吹出口５０から床面７ａに沿った第二方向３３（または第二方向３３よりも斜め上向き）に、第一加圧空気６０を吹き出す第一状態と、第一吹出口５０から壁面９ａに沿った第三方向３４に、第一加圧空気６０を吹き出す第二状態とを切り替える。具体的には、切替部５３は、検知部５２からの検知情報を受け付けていない場合には、第一加圧空気６０の吹き出し方向を第二方向３３に切り替える。そして、集塵システム１ａは、図７（ｂ）に示した状態で、集塵動作を実行する。一方、切替部５３は、検知部５２からの検知情報を受け付けた場合には、第一加圧空気６０の吹き出し方向を、第二方向３３から第三方向３４へと切り替える。そして、集塵システム１ａは、図９に示す状態で、集塵動作を継続させる。集塵システム１ａの変形例では、上記のように集塵装置２０近傍に人７０が近づいた場合に、第一加圧空気６０の吹き出し方向を第三方向３４とすることにより、第一加圧空気６０が人７０に当たって不快な思いをさせるのを抑制することができる。
【産業上の利用可能性】
【００７０】
本発明に係る集塵装置は、建築構造物の室内にて掃き出された塵埃を回収する集塵装置に適用可能である。
【符号の説明】
【００７１】
１    集塵システム
１ａ    集塵システム
２    コンプレッサ
３    空気タンク
４    機械室
５    居室
６    玄関
７    床下
７ａ    床面
８    天井裏
９    壁
９ａ    壁面
９ｂ    壁面
１０    レギュレータ
１１    電磁弁
１２    供給ダクト
１３    スイッチ
１４    排出ダクト
１５    回収箱
１６    分配器
２０    集塵装置
２０ａ    筐体
２１    吸込口
２２    第三側壁
２３    第一側壁
２３ａ    ノズル孔
２４    第二側壁
２５    天板
２６    吸込空間
２６ａ    空間
２７    孔
２８    排出口
２９    第一ノズル
３１    底板
３２    第一方向
３３    第二方向
３４    第三方向
３５    第四方向
４０    建築構造物
４１    誘引気流
４２    気流
５０    第一吹出口
５１    第二吹出口
５２    検知部
５３    切替部
６０    第一加圧空気
６１    第二加圧空気
６２    気流
６３    気流
６４    第三加圧空気
７０    人
【図１】
2020201028.tif 000003
【図２】
2020201028.tif 000004
【図３】
2020201028.tif 000005
【図４】
2020201028.tif 000006
【図５】
2020201028.tif 000007
【図６】
2020201028.tif 000008
【図７】
2020201028.tif 000009
【図８】
2020201028.tif 000010
【図９】
2020201028.tif 000011